(57)【要約】【課題】  本発明は、簡易な方法により袋の袋開口部を密閉することが可能で、且つ袋を結束した後では、強い袋の結束力を得られる一方で、外すことが可能な袋結束用具を提供することを目的とする。【解決手段】  本発明による袋結束用具は、袋の袋開口部全体を折返して束ねた束ね部の外周を結束する袋結束用具であって、先端にし字型若しくはレ字型の鉤５を設けた袋折部引掛けフック１０と、鉤軸２が遊動可能に通される貫通孔１１、及び貫通孔に繋がり且つ鉤に折部２２が引掛けられた状態で鉤が抜出し可能であって鉤の抜出し後は束ね部の外周を押さえうる大きさに形成した結束口１２を設けた袋結束プレートと、を有することを特徴とする。【選択図】  図８ 
2005186972.tif 000002
【特許請求の範囲】
【請求項１】
袋の袋開口部全体を折返して束ねた束ね部の外周を結束する袋結束用具であって、
該袋結束用具は、
先端にし字型若しくはレ字型の鉤を設け、該鉤の鉤先と鉤軸との間隔を、前記袋開口部を折返した折部が引掛けられる幅に形成した袋折部引掛けフックと、
前記鉤軸が遊動可能に通される貫通孔、及び該貫通孔に繋がり且つ前記鉤に前記折部が引掛けられた状態で前記鉤が抜出し可能であって該鉤の抜出し後は前記束ね部の外周を押さえうる大きさに形成した結束口を設けた袋結束プレートと、を有することを特徴とする袋結束用具。
【発明の詳細な説明】
【技術分野】
【０００１】
本発明は、袋の袋開口部を密閉させる袋結束用具に関するものである。
【背景技術】
【０００２】
従来、ビニール等の材料からなる袋の袋開口部を密閉する場合、人が手で縛って密閉する。あるいは、縛ることが不便な場合には、先端に鉤を設けた用具に袋を束ねるように巻きつけて、袋開口部を縛ることを補助する結束用具を用いる方法がある（例えば、特許文献１参照。）。
【０００３】
また、被結束物である袋を押さえる可撓片をリング状の枠体に有する結束用具を用いて、袋開口部を手で結束用具に差し込む方法や、一端が開口した馬蹄形の結束クリップをリング状に変形させて被結束物である袋を押さえつける方法もある（例えば、特許文献２、３参照。）。
【特許文献１】実開平５−０８９２１１号公報
【特許文献２】特開平９−７７０９５号公報
【特許文献３】特開２００３−１７０９４７号公報
【発明の開示】
【発明が解決しようとする課題】
【０００４】
しかし、特許文献１に係る発明では、結束用具への袋の巻きつけ方が複雑で、結束用具を扱えるようになるまでに困難を要する。また、特許文献２に係る発明では、可撓片が曲がりにくいと結束用具に袋を差し込むことが困難となる場合があり、一方で曲がりやすいと袋の収容物が重い場合に結束用具が袋から外れてしまうこともある。また、特許文献３に係る発明では、袋を結束した後に結束クリップを取り外すことが困難であるという問題が生じる。
【０００５】
そこで、本発明では、上記問題点を解決するために、取り扱いが容易で、簡易な手順により袋の袋開口部を密閉することが可能な袋結束用具を提供とすることを目的とする。また、袋を結束した後では、強い結束力が得られる一方で、簡単に取り外すことが可能な袋結束用具を提供することを目的とする。
【課題を解決するための手段】
【０００６】
上記課題を解決するために、本発明による袋結束用具は、袋の袋開口部全体を折返して束ねた束ね部の外周を結束する袋結束用具であって、該袋結束用具は、先端にし字型若しくはレ字型の鉤を設け、該鉤の鉤先と鉤軸との間隔を、前記袋開口部を折返した折部が引掛けられる幅に形成した袋折部引掛けフックと、前記鉤軸が遊動可能に通される貫通孔、及び該貫通孔に繋がり且つ前記鉤に前記折部が引掛けられた状態で前記鉤が抜出し可能であって該鉤の抜出し後は前記束ね部の外周を押さえうる大きさに形成した結束口を設けた袋結束プレートと、を有することを特徴とする。
【発明の効果】
【０００７】
本発明は、取り扱いが容易な袋折部引掛けフック及び袋結束プレートによって簡易な手順で袋を結束して袋開口部を密閉することが可能である。また、袋折部引掛けフックを用いるため、袋いっぱいに収容物を詰めても、袋開口部を折返して束ねることができれば、袋結束プレートによって束ね部を結束することができる。このとき、し字型若しくはレ字型の鉤に束ね部の折返された折部を引掛けることで、袋結束プレートの結束口に袋の折部を袋折部引掛けフックが引き込んで束ね部を結束することが可能となる。折部を結束口に引き込むため、袋開口部を結束口に手で差し込んで結束する結束用具を用いることに比べ、束ね部を容易に結束できる。また、結束口に折部を引き込むと、袋結束プレートと折部とで輪が形成されるため、折部に指を引掛けて持ち運び易い。また、折部を結束口に引き込んで束ね部を結束すると、袋の収容物が重くても、袋結束プレートが外れないように束ね部を強固に結束させることができる。また、結束口は束ね部を外れない程度に押さえているだけなので、束ね部を袋結束プレートで結束した後でも袋結束プレートを簡単に外して、袋開口部を再度開くことが可能である。
【発明を実施するための最良の形態】
【０００８】
以下、図１から図１１を参照して本発明の実施の形態について具体的に説明するが、これらの記載に限定して解釈されない。
【０００９】
図１に、本実施の形態に係る袋結束用具の袋折部引掛けフックの１形態を示す。図１（ａ）は、正面図で、図１（ｂ）は、上面図である。また、図２に、本実施の形態に係る袋結束用具の袋結束プレートの１形態を示す。また、図３に、袋結束プレートを袋折部引掛けフックに通した状態を示した斜視図を示す。図４に被結束物である袋を例示する。図４（ａ）は、袋の概略斜視図で、図４（ｂ）は、袋の袋開口部を折り曲げて束ねた状態を示した斜視図である。
【００１０】
本実施の形態に係る袋結束用具は、図４（ｂ）に示す、袋３１の袋開口部２１を折返して束ねた束ね部２３の外周を結束するためのもので、図１（ａ）に示す袋折部引掛けフック１０と、図２に示す袋結束プレート２０と、を少なくとも有する。また、袋折部引掛けフック１０には、袋折部引掛けフック１０を持つための把持部３と、図２に示す袋結束プレート２０を保持させ易くするためのストッパー４と、を有している。
【００１１】
被結束物である袋３１は、図４（ａ）に示すように、ビニールや布等の素材からなるゴミ袋や買い物袋が例示される。これらの袋は、手で袋開口部２１を束ねて縛ることによって袋開口部２１を密閉させることがよく行われる。しかし、手で袋開口部２１を縛ることは不便である。本実施の形態に係る袋結束用具は、袋３１の袋開口部２１全体を折返して束ねた束ね部２３の外周の結束するためのものである。袋３１の袋開口部２１全体を折返して束ねた束ね部２３の外周を結束すれば、袋開口部２１を密閉することができる。なお、図４（ａ）では、袋開口部２１を有する単純な袋を示しているが、持ち運び用の取手が取り付けられていてもよい。
【００１２】
図１（ａ）に示す袋折引掛けフック１０は、先端にし字型若しくはレ字型の鉤５を設け、鉤５の鉤先１と鉤軸２との間隔６を、図４（ｂ）に示す束ね部２３が折返された折部２２を引掛けうる幅に形成している。このとき、袋折部引掛けフックの他の実施形態を示す図１０のように、鉤先１を鉤軸２から遠ざけるように湾曲させた湾曲部７を設けることとしてもよい。湾曲部７を設けると、図４（ａ）に示す袋３１を鉤５に引掛けるときに、袋３１が鉤先１と鉤軸２との開いた間に引き込まれるため、引掛け易い。また、袋３１を引掛けた後では、鉤５に引掛けた袋の袋開口部２１が湾曲部７に引掛かり、鉤５から袋３１が外れることを防止することができる。
【００１３】
把持部３は、袋折部引掛けフック１０を使用するときに手で持つ部分で、手で持てるほどの長さを有することが望ましい。また、袋折部引掛けフック１０を使用しないときには、袋折部引掛けフック１０を引掛けて保持させておくために把持部３の端部を図１（ａ）に示すように環状に形成することとしてもよい。また、手での持ち易さを増すために、把持部３に木、金属、ゴム、プラスチック等の材料からなる柄を取り付けることとしてもよい。
【００１４】
図２に示す袋結束プレート２０は、図１（ａ）に示す袋折部引掛けフック１０の鉤軸２が遊動可能に通される貫通孔１１と、貫通孔１１に繋がって形成された結束口１２と、が設けられている。
【００１５】
貫通孔１１は、袋結束プレート２０のいずれの位置に設けてもよく、図３に示すように鉤軸２に通され、袋結束プレート２０を鉤軸２に保持させておく機能を有する。また、貫通孔１１の径は、袋結束プレート２０が鉤軸２を自由に移動できる程度に鉤軸２の径よりわずかに大きく形成することが望ましい。このとき、図１（ｂ）に示すように鉤軸２に鉤軸２から突起したストッパー４を設けることが望ましく、使用する袋結束プレート２０のみを鉤５に移動させ、残りの袋結束プレート２０をストッパー４の手前で保持させておくことができる。
【００１６】
結束口１２は、図４（ｂ）に示す袋３１の束ね部２３の外周を結束する口で、束ね部２３を外れない程度に押さえうる大きさで、且つ折部２２が図１（ａ）に示す鉤５に引掛けられた状態で鉤５を抜出し可能な大きさに形成している。このとき、袋結束プレート２０は、変形可能な材料、例えば、ポリプロピレン等の樹脂、エラストマー又はゴム等の材料からなるものが望ましい。また、図２に示すように、貫通孔１１から繋がった切れ込み２４ａ、２４ｂを入れて結束口１２とすることが望ましい。つまり、貫通孔１１と結束口１２とは周部が繋がっている。このとき、結束口１２が開かれたときに切れ込み２４ａ、２４ｂの端部に応力が集中し、切れ込みを拡大させないために、切れ込み２４ａ、２４ｂのそれぞれの端部に、小穴１３を設けることとしてもよい。
【００１７】
袋結束プレート２０を変形可能な材料からなるものとすると、切れ込み２４ａ、２４ｂを開かせて結束口１２とすることができ、且つ結束口１２が閉まろうとする力で、図４（ｂ）に示す束ね部２３を押さえることができる。図２では、切れ込み２４ａ、２４ｂを十文字に入れた形態を示したが、少なくとも切れ込み２４ａを有すれば、結束口１２を設けることができる。また、切れ込み２４ａ、２４ｂをＸ文字に入れることとしてもよい。特に、十文字に、切れ込み２４ａ、２４ｂを入れると、袋結束プレート２０を図１（ａ）に示す袋折部引掛けフック１０の鉤５の折れ曲がった部分の方向から通すときに通し易く、一方、鉤５を抜き出し易い。また、袋結束プレート２０の他の実施形態を示す図１１のように、切れ込み２５は、複数入れることとしてもよい。切れ込み２５を複数入れることで、結束口１２が開き易くなるために、袋結束プレート２０を図１（ａ）に示す袋折部引掛けフック１０に鉤５の折れ曲がった部分の方向からより通し易くなる。
【００１８】
また、結束口１２には、図１（ａ）に示す袋折部引掛けフック１０によって図４（ｂ）に示す袋３１の折部２２が引き込まれるために、袋結束プレート２０となる材料として、変形可能な材料でも剛性率が大きい材料を用いることができる。また、袋結束プレート２０の厚さを厚くして、極薄い袋結束プレートより剛性率を大きくすることもできる。剛性率が大きい袋結束プレート２０とすれば、図４（ｂ）に示す袋３１の折部２２を結束口に手によって差し込んで束ね部を結束する結束用具よりも、より強固に束ね部２３の外周を結束することができる。また、袋結束プレート２０の厚さを厚くすると、袋３１いっぱいに収容物が入れられている場合でも、結束した袋３１の搬送中に袋結束プレート２０が千切れてしまうことがない。
【００１９】
ここで、図５から図９を参照して、本実施の形態に係る袋結束用具を用いて、袋を密閉する方法について説明する。図５は、袋の袋開口部を結束する準備の状態を示す斜視図である。図６は、袋結束プレートの結束口に袋折部引掛けフックの鉤が通された状態を示す斜視図である。図７は、鉤に引掛けられた袋の袋開口部を折り曲げて束ねるようにした状態を示す斜視図である。図８は、袋結束プレートの結束口に袋の折部が挿入された状態を示す斜視図である。図９は、袋の袋開口部が袋結束プレートによって結束された状態を示す斜視図である。
【００２０】
まず、袋３１の袋開口部２１を結束する準備状態では、図５に示すように、袋結束プレート２０の貫通孔１１に鉤軸２を通し、袋３１の袋開口部２１を鉤５に引掛けるように配置する。貫通孔１１に鉤軸２を通すときには、貫通孔１１に鉤先１を挿入することとしてもよいし、結束口１２に袋折部引掛けフック１０を鉤５の折れ曲がった部分の方向から挿入することとしてもよい。
【００２１】
次に、図５に示す、鉤５に袋開口部２１を引掛けた状態から、袋結束プレート２０を１つのみストッパー４を通して鉤５の方向に押し出す（残りの袋結束プレートは不図示とする。）。袋結束プレート２０を鉤５の方向に押し出していくと、結束口１２に鉤先１が挿入され、図６に示すように、袋結束プレート２０と鉤５との間に袋３１の袋開口部２１が挟まれ、束ねられていく。
【００２２】
次に、図６に示す、袋開口部２１が束ねられた状態から、さらに袋結束プレート２０を矢印の方向に押し出す。袋結束プレート２０を押し出す過程で袋開口部２１を折返して、図７に示すように束ね部２３を形成すると共に、折部２２を形成する。
【００２３】
次に、図７に示す、折部２２を形成した状態から、さらに袋結束プレート２０を押し出す。袋結束プレート２０を押し出すと、図８に示すように、折部２２が結束口１２に袋折部結束フック１０によって引き込まれる。このとき、把持部３を、環状に形成しておくと、袋折部引掛けフック１０を引くときに把持部３に手が引っ掛るため、力を入れ易い。
【００２４】
最後に、袋折部引掛けフック１０を鉤５を中心として回転させるように折部２２から引き抜いて、図９に示すように、袋結束プレート２０によって束ね部２３の外周が結束される。
【００２５】
以上説明したように、本実施の形態に係る袋結束用具は扱いが簡易である。この袋結束用具を使用することで、誰でも簡易に袋３１の袋開口部２１を密閉することができる。また、袋３１の結束に袋折部引掛けフック１０を用いることで、袋３１いっぱいに収容物を詰めても、袋開口部２１を折り曲げて束ねることができれば、袋開口部２１を密閉することができる。また、先端に鉤５を設けた袋折部引掛けフック１０を用いることで、折部２２を鉤５に引掛けて、袋折部引掛けフック１０が折部２２を袋結束プレート２０の結束口１２に引き込んで束ね部２３を結束することができる。その結果、結束口に袋開口部を手で差し込んで結束する結束用具を用いることに比べ、束ね部２３の結束が容易である。また、折部２２を結束口１２に引き込むと、袋結束プレート２０と折部２２とで輪が形成されるため、折部２２に指を引掛けて持ち運び易い。また、折部２２を結束口１２に引き込んで束ね部２３を結束すると、袋３１の収容物が重くても、袋結束プレート２０が外れないように束ね部２３を強固に結束することができる。また、袋結束プレート２０は、束ね部２３の外周を外れない程度に押さえているだけなので、束ね部２３を袋結束プレート２０で結束した後でも袋結束プレート２０を簡単に外して、袋開口部２１を再度開くことが可能である。
【図面の簡単な説明】
【００２６】
【図１】本実施の形態に係る袋結束用具の袋折部引掛けフックの１形態を示し、図１（ａ）は、正面図で、図１（ｂ）は、上面図である。
【図２】本実施の形態に係る袋結束用具の袋結束プレートの１形態を示した図である。
【図３】袋結束プレートを袋折部引掛けフックに通した状態を示した斜視図である。
【図４】袋を示した図で、図４（ａ）は、袋の概略斜視図で、図４（ｂ）は、袋の袋開口部を折り曲げて束ねた状態を示した斜視図である。
【図５】袋の袋開口部を結束する準備の状態を示す斜視図である。
【図６】袋結束プレートの結束口に袋折部引掛けフックの鉤が通された状態を示す斜視図である。
【図７】鉤に引掛けられた袋の袋開口部を折り曲げて束ねるようにした状態を示す斜視図である。
【図８】袋結束プレートの結束口に袋の折部が挿入された状態を示す斜視図である。
【図９】袋の袋開口部が袋結束プレートによって結束された状態を示す斜視図である。
【図１０】袋折部引掛けフックの実施形態の１例を示した図である。
【図１１】袋結束プレートの実施形態の１例を示した図である。
【符号の説明】
【００２７】
１  鉤先
２  鉤軸
３  把持部
４  ストッパー
５  鉤
６  間隔
７  湾曲部
１０  袋折部引掛けフック
１１  貫通孔
１２  結束口
１３  小穴
２０  袋結束プレート
２１  袋開口部
２２  折部
２３  束ね部
２４ａ、２４ｂ、２５  切れ込み
３１  袋
【図１】
2005186972.tif 000003
【図２】
2005186972.tif 000004
【図３】
2005186972.tif 000005
【図４】
2005186972.tif 000006
【図５】
2005186972.tif 000007
【図６】
2005186972.tif 000008
【図７】
2005186972.tif 000009
【図８】
2005186972.tif 000010
【図９】
2005186972.tif 000011
【図１０】
2005186972.tif 000012
【図１１】
2005186972.tif 000013